(57)【要約】      （修正有）【課題】修正テープおよびその他のテープ式文房具において、本体に隠れていない方向へ作業して行けることで、正確で確実な作業性を得るテープ式文房具を提供する。【解決手段】本体部２と、先端部１で構成され、本体部２に対して先端部１が１８０度および９０度回転する。【選択図】図１
0003202375.tif 000002
【実用新案登録請求の範囲】
【請求項１】
修正テープ、テープのり、テープ式マーカー、デコレーションテープ、個人情報保護テープなどのテープ式文房具において、以下の構造を有するものを特徴とするもの。
【請求項２】
本体部分に対して、先端部分が１８０度回転する。
【請求項３】
本体部分に対して、先端部分が９０度回転する。
【請求項４】
詰め替え用カートリッジを有するタイプにおいては、ケース本体部に対して、ケース先端部が１８０度回転すると同時に、詰め替え用カートリッジ本体部に対して、詰め替え用カートリッジ先端部が１８０度回転する。
【請求項５】
詰め替え用カートリッジを有するタイプにおいては、ケース本体部に対して、ケース先端部が９０度回転すると同時に、詰め替え用カートリッジ本体部に対して、詰め替え用カートリッジ先端部が９０度回転する。
【考案の詳細な説明】
【技術分野】
【０００１】    本考案は、先端部分を１８０度および９０度に回転させる事が出来る修正テープおよびテープ式文房具に関する。
【技術背景】
【０００２】  従来の修正テープにおいて、テープ面を接地させ、斜めに傾け、傾けた方向にスライドさせて使う構造が多く、消したい文字が修正テープ本体に隠れて見えない場合が多い。
【０００３】  そのため、文章の途中を消す際に消し終わりの位置が確認し難く、消しすぎるなどの失敗があった。
【０００４】  また、その他のテープのり、テープ式マーカー、デコレーションテープ、個人情報保護テープなどのテープ式文房具においても、本体でテープを貼りたい位置が隠れたり、止めたい位置が見えないなどの障害があった。
【考案の概要】
【考案が解決しようとする課題】
【０００５】  本考案は、以上のような従来の欠点に鑑み、テープ面を接地させ、斜めに傾け、傾けた本体に隠れてしまっている方向とは逆方向にスライドさせて使う構造を有する事で、目視して確実に作業が出来ることを目的としている。【０００６】  すなわち、修正テープを例にすると、右手に持って横書きの文章を消す場合、従来は右方向へ消して行ったが、本考案では、左方向は消して行く事が可能になる。この事により、消したい文字を目視でき、正確に文字を消す事が出来る。【０００７】  また、従来のグリップ性を重視した修正テープの場合、左手で持って使用すると、逆さまに持って使用する事になるため、グリップ性が損なわれる場合があった。【０００８】  さらに、グリップ性を重視した修正テープで、縦方向に消したい場合も、グリップ性が損なわれる場合があった。
【課題を解決するための手段】
【０００９】  上記目的を達成するために、本考案は先端部分を１８０度または９０度回転させられる構造とする。
【考案の効果】
【００１０】  以上の説明から明らかなように、本考案にあっては次に列挙する効果が得られる。
なお、より解りやすく考案の効果を説明するために、以下からは、修正テープを例にとって説明するものとする。【００１１】  （１）修正テープの先端を１８０度回転させる事で、テープの巻き取りを逆回転させる事なく、従来とは逆方向へ消して行く事ができる。
したがって、修正テープを右手で持って、横書きの文書を消す場合、従来通りの右方向へも、また、文字を確認しやすい左方向へも消して行く事ができる。【００１２】  （２）左手で持って横書きの文章を消す場合、逆さまに持って使用していたが、修正テープの先端を１８０度回転させる事で、裏返しに持って使用することができる。
その事により、左利きの場合でも、グリップ性を損なう事なく、横書きの文章を左方向へも、右方向へも消して行く事ができる。【００１３】  （３）修正テープの先端を９０度回転させる事で、縦書きの文章を消す際にも、グリップ性を損なわないで消す事が出来る。
【図面の簡単な説明】
【００１４】
【図１】本考案を実施するために最も重要な構造を示した図である。
【図２】従来品の問題点を提示するため、および本考案の優れた点を示した図である。
【図３】左手で使用した時の問題点を提示した図である。
【図４】本考案を左手で使用した時の優れた点を示した図である。
【図５】本考案が縦書きの場合にも、優れている事を示した図である。
【考案を実施するための形態】
【００１５】以下、本考案の実施形態を図に基づいて説明する。
【実施例１】
【００１６】  図１から図５において、先端部分が回転する構造と、テープを貼り付けて行く方向を説明するものである。
【実施例２】
【００１７】  図１は、テープを貼りたい部分が隠れてしまう、という欠点を改善する手段として考えたものであり、１の部分と４の部分が１８０度および９０度回転する構造である。
【実施例３】
【００１８】  図２は、テープをスライドさせる方向を示したもので、従来はＡの方向へテープを貼って行ったため、文字を目視し難くかったが、１と４を１８０度回転させることでＢの方向へテープを貼って行く事ができ、文字を見ながら正確に作業出来る。
【実施例４】
【００１９】  図３は、本体を左手で持ったときの不具合を示したもので、右手で握りやすい構造を持つ本体が、左手で持つと逆さまに持つこととなり、握りにくかった。
【実施例５】
【００２０】  図４は、左手で持った時にも、本考案が優れている事を示したもので、１と４を１８０度回転させ裏返しにすることで、握りやすい構造を損なうことなく、左手で持つ事ができる。
また、その状態で先端部を１８０度戻すことも可能なので、左手で持ったときにも、ＡＢそれぞれの方向へスライドさせる事ができる。
【実施例６】
【００２１】  図５は、１と４を９０度回転したときの優れた点を示したもので、縦書きの文章などにテープを貼る時にも、握りやすさを損なわず使用できる。
ただ、９０度回転させて使用する場合、従来のようにＣの方向へ消して行くか、本考案で提示しているように、Ｄの方向へ消して行くのかは、製造者の判断に委ねるものとし、本考案では特に指定しないものとする。
【実施例７】
【００２２】  詰め替え用カートリッジを有するタイプにおいては、１ケース先端部分、２ケース本体部分、３詰め替えカートリッジ本体部分、４詰め替えカートリッジ先端部分よりなる構造とし、その場合においても、１、４ともに回転する構造とする。
【実施例８】
【００２３】  図１から５に示した形状は、本考案で指定した形ではなく、最も説明しやすい形状を描いたもので、実際の形状は製造者の判断に委ねるもとのする。
【産業上の利用可能性】
【００２４】本考案は、先端が１８０度および９０度回転する修正テープおよびその他のテープ式文房具を製造する産業で利用される。
【符号の説明】
【００２５】１  ケース先端部
２  ケース本体部
３  詰め替えカートリッジ本体部
４  詰め替えカートリッジ先端部
Ａ  従来のテープの進行方向
Ｂ  本考案で推進する進行方向
【図１】
0003202375.tif 000003
【図２】
0003202375.tif 000004
【図３】
0003202375.tif 000005
【図４】
0003202375.tif 000006
【図５】
0003202375.tif 000007
【手続補正書】
【提出日】平成27年10月29日(2015.10.29)
【手続補正１】
【補正対象書類名】実用新案登録請求の範囲
【補正対象項目名】全文
【補正方法】変更
【補正の内容】
【実用新案登録請求の範囲】
【請求項１】
修正テープ、テープのり、テープ式マーカー、デコレーションテープ、個人情報保護テープなどのテープ式文房具において、先端部分が回転することを特徴とするテープ式文房具。
【請求項２】
ケース本体部分に対して、ケース先端部分が１８０度回転することを特徴とする、修正テープ、テープのり、テープ式マーカー、デコレーションテープ、個人情報保護テープなどのテープ式文房具。
【請求項３】
ケース本体部分に対して、ケース先端部分が９０度回転することを特徴とする、修正テープ、テープのり、テープ式マーカー、デコレーションテープ、個人情報保護テープなどのテープ式文房具。
【請求項４】
詰め替え用カートリッジを有するタイプにおいては、ケース本体部に対して、ケース先端部が１８０度回転すると同時に、詰め替え用カートリッジ本体部に対して、詰め替え用カートリッジ先端部が１８０度回転することを特徴とする、修正テープ、テープのり、テープ式マーカー、デコレーションテープ、個人情報保護テープなどのテープ式文房具。
【請求項５】
詰め替え用カートリッジを有するタイプにおいては、ケース本体部に対して、ケース先端部が９０度回転すると同時に、詰め替え用カートリッジ本体部に対して、詰め替え用カートリッジ先端部が９０度回転することを特徴とする、修正テープ、テープのり、テープ式マーカー、デコレーションテープ、個人情報保護テープなどのテープ式文房具。